(57)【要約】      （修正有）【課題】ＬＥＤウエハ、主制御ＩＣウエハ及び光学レンズを集積させることで、レンズの体積を減少させ、発光源の構造を簡素化させ、製品の占める空間を小さくし、マウス全体の着脱をより迅速かつ簡便に行い、また、部品の不整合によるマウス全体の安定性を向上できる光学式マウス用のＩＣ一体化構造を提供する。【解決手段】光学式マウス用のＩＣ一体化構造は、ＰＣＢ基板に接続するためのブラケット２と、発光用のＬＥＤウエハ３と、主制御ＩＣウエハ４と、光学レンズ５と、を備え、ＬＥＤウエハ及び主制御ＩＣウエハは、それぞれブラケットのフレームにおける端子の表面の両端に取り付けられ、ブラケットを介してＰＣＢ基板に接続され、光学レンズは、ＬＥＤウエハ及び主制御ＩＣウエハの上方に取り付けられ、光学レンズと主制御ＩＣウエハとの間には、外部光源を遮るための遮光カバー６が設けられ、遮光カバーには、光が透過するための貫通孔６１が設けられている。【選択図】図２
0003226586.tif 000002
【実用新案登録請求の範囲】
【請求項１】
光学式マウス用のＩＣ一体化構造であって、
ＰＣＢ基板に接続するためのブラケットと、発光用のＬＥＤウエハと、主制御ＩＣウエハと、光学レンズと、を備え、前記ＬＥＤウエハ及び前記主制御ＩＣウエハは、それぞれ前記ブラケットのフレームにおける端子の表面の両端に取り付けられ、前記ＬＥＤウエハ及び前記主制御ＩＣウエハは、前記ブラケットを介してＰＣＢ基板に接続され、前記光学レンズは、前記ＬＥＤウエハ及び前記主制御ＩＣウエハの上方に取り付けられ、前記光学レンズと前記主制御ＩＣウエハとの間には、外部光源を遮るための遮光カバーが設けられ、前記遮光カバーには、光が透過するための貫通孔が設けられている、ことを特徴とする光学式マウス用のＩＣ一体化構造。
【請求項２】
前記光学レンズは、プリズム及び円形レンズを備え、前記ＬＥＤウエハは、前記プリズムの下方に取り付けられ、前記主制御ＩＣウエハは、前記円形レンズの下方に取り付けられ、前記ＬＥＤウエハから発光する光源は、前記プリズムにより机の表面に屈折され、さらに机の表面により反射されて前記円形レンズで主制御ＩＣウエハに伝達される、ことを特徴とする請求項１に記載の光学式マウス用のＩＣ一体化構造。
【請求項３】
前記貫通孔は、前記円形レンズの円中心に対応して開けられている、ことを特徴とする請求項２に記載の光学式マウス用のＩＣ一体化構造。
【請求項４】
前記光学レンズの材料は樹脂またはプラスチックである、ことを特徴とする請求項１に記載の光学式マウス用のＩＣ一体化構造。
【請求項５】
前記ＬＥＤウエハの取付箇所に対応する前記ブラケットには、円錐台状凹溝が設けられ、前記主制御ＩＣウエハの取付箇所に対応する前記ブラケットには、矩形凹溝又は円形溝が設けられている、ことを特徴とする請求項１に記載の光学式マウス用のＩＣ一体化構造。
【請求項６】
前記ブラケットの両側には、ＰＣＢ基板に接続するための複数のピンが対称的に設けられている、ことを特徴とする請求項１に記載の光学式マウス用のＩＣ一体化構造。
【請求項７】
前記光学レンズは、スナップフィット接続を用いて前記ブラケットに固定されている、ことを特徴とする請求項１に記載の光学式マウス用のＩＣ一体化構造。
【考案の詳細な説明】
【技術分野】
【０００１】
本考案は、光学式マウスの組立部品の分野に属し、具体的には、光学式マウス用のＩＣ一体化構造に関する。
【背景技術】
【０００２】
電子技術の発展に伴い、電子コンピューターは、人々の生活や仕事に欠かせないツールとなり、ここで、電子コンピューターの主要な入力デバイスであるマウスは、操作効率に大きな影響を与える。最初の時代には、機械式マウスが使用されており、機械式マウスの原理は、導電性ゴムホイール及び負の電気的位置決め軸を使用して位置決め及び移動を行うものであるが、機械式マウスの精度が低すぎるため、淘汰された。現在、最も一般的なマウスは光学式マウスであり、その動作原理は、発光ダイオードを光源体として、そして別のフォトカプラに反射して反射光を受光することである。ここで、光学センサ、光学レンズ及び発光ダイオードは、光学式マウスの不可欠な素子である。
【０００３】
従来の光学式マウスでは、通常、上記の３つの素子は、別々にマウスの内部に取り付けられ、例えば、出願番号ＣＮ２００７２０１２１９９３．３には、ワイヤレスのデジタルテレビ受信機付きマウスが開示されており、このマウスは、一般的な光学式マウスの機能を提供できるが、マウスの内部の光学センサ、光学レンズ及び発光ダイオードの三者の取付構造としては、従来の光学式マウスでは、三者がマウスに個別に組み立てられるため、以下の複数の欠陥を引き起こしやすい。１．占有する空間が大きく、回路基板のコストを増やす。２．三者のサプライヤが統一的な整備を行うことは難しく、三者が理想的な整合度を達成することは困難であり、マウスの作動性能に直接影響を与える。３．また、三者を組み立てるのに時間がかかり、生産効率に影響を与える。４．レンズの体積が大きいので、専門メーカーの生産コストが高い。５．発光ダイオードはＬＥＤパッケージング工場にて単独にパッケージングされるためコストが高い。
【考案の概要】
【考案が解決しようとする課題】
【０００４】
従来技術の欠点を解決するために、本考案の目的は、光学式マウス用のＩＣ一体化構造を提供することであり、この光学式マウス用のＩＣ一体化構造は、ＰＣＢ基板に接続するためのブラケットと、発光用のＬＥＤウエハと、主制御ＩＣウエハと、光学レンズと、を備え、ＬＥＤウエハ及び主制御ＩＣウエハは、それぞれ前記ブラケットのフレームにおける端子の表面の両端に取り付けられ、ＬＥＤウエハ及び主制御ＩＣウエハは、ブラケットを介してＰＣＢ基板に接続され、光学レンズは、ＬＥＤウエハ及び主制御ＩＣウエハの上方に取り付けられ、光学レンズと主制御ＩＣウエハとの間には、外部光源を遮るための遮光カバーが設けられ、遮光カバーには、光が透過するための貫通孔が設けられる。本技術案は、ＬＥＤウエハ、主制御ＩＣウエハ及び光学レンズの三者を１つの構造に集積させることで、レンズの体積を減少させ、且つ発光源の構造を簡素化させ、製品の占める空間を従来よりも小さくし、マウス全体の着脱をより迅速かつ簡便に行い、生産効率を向上させ、原料の成本を低下させ、また、三者を一体として着脱することにより、部品の不整合によるマウス全体の安定性に影響を与える問題を解消する。
【課題を解決するための手段】
【０００５】
本実用新案の目的は、下記の技術的解決手段により実現される。
【０００６】
光学式マウス用のＩＣ一体化構造であって、ＰＣＢ基板に接続するためのブラケットと、発光用のＬＥＤウエハと、主制御ＩＣウエハと、光学レンズと、を備え、前記ＬＥＤウエハ及び前記主制御ＩＣウエハは、それぞれ前記ブラケットのフレームにおける端子の表面の両端に取り付けられ、前記ＬＥＤウエハ及び前記主制御ＩＣウエハは、前記ブラケットを介してＰＣＢ基板に接続され、前記光学レンズは、前記ＬＥＤウエハ及び前記主制御ＩＣウエハの上方に取り付けられ、前記光学レンズと前記主制御ＩＣウエハとの間には、外部光源を遮るための遮光カバーが設けられ、前記遮光カバーには、光が透過するための貫通孔が設けられている。
【０００７】
さらに、前記光学レンズは、プリズム及び円形レンズを備え、前記ＬＥＤウエハは、前記プリズムの下方に取り付けられ、前記主制御ＩＣウエハは、前記円形レンズの下方に取り付けられ、前記ＬＥＤウエハから発光する光源は、前記プリズムにより机の表面に屈折され、さらに机の表面により反射されて前記円形レンズで主制御ＩＣウエハに伝達される。
【０００８】
さらに、前記貫通孔は、前記円形レンズの円中心に対応して開けられている。
【０００９】
さらに、前記光学レンズの材料は樹脂またはプラスチックである。
【００１０】
さらに、前記ＬＥＤウエハの取付箇所に対応する前記ブラケットには、円錐台状凹溝が設けられ、前記主制御ＩＣウエハの取付箇所に対応する前記ブラケットには、矩形凹溝又は円形溝が設けられている。
【００１１】
さらに、前記ブラケットの両側には、ＰＣＢ基板に接続するための複数のピンが対称的に設けられている。
【００１２】
さらに、前記光学レンズは、スナップフィット接続を用いて前記ブラケットに固定して接続されている。
【考案の効果】
【００１３】
従来技術に比べて、本考案の有益な効果は、以下のとおりである。
【００１４】
本考案に係る光学式マウス用のＩＣ一体化構造は、ＰＣＢ基板に接続するためのブラケットと、発光用のＬＥＤウエハと、主制御ＩＣウエハと、光学レンズと、を備え、ＬＥＤウエハ及び主制御ＩＣウエハは、それぞれ前記ブラケットのフレームにおける端子の表面の両端に取り付けられ、ＬＥＤウエハ及び主制御ＩＣウエハは、ブラケットを介してＰＣＢ基板に接続され、光学レンズは、ＬＥＤウエハ及び主制御ＩＣウエハの上方に取り付けられ、光学レンズと主制御ＩＣウエハとの間には、外部光源を遮るための遮光カバーが設けられ、遮光カバーには、光が透過するための貫通孔が設けられている。本技術案は、ＬＥＤウエハ、主制御ＩＣウエハ及び光学レンズの三者を１つの構造に集積させることで、レンズの体積を減少させ、且つ発光源の構造を簡素化させ、製品の占める空間を従来よりも小さくし、マウス全体の着脱をより迅速かつ簡便に行い、生産効率を向上させ、原料の成本を低下させ、また、三者を一体として着脱することにより、部品の不整合によるマウス全体の安定性に影響を与える問題を解消する。
【図面の簡単な説明】
【００１５】
【図１】本考案の光学式マウス用のＩＣ一体化構造の好ましい実施形態の構造模式図である。
【図２】本考案の光学式マウス用のＩＣ一体化構造の好ましい実施形態の分解図である。
【考案を実施するための形態】
【００１６】
以下、図面及び具体的な実施形態を参照しながら、本考案をさらに説明するが、なお、衝突しないという前提の下で、以下説明する各実施例又は各技術的特徴を互いに任意に組み合わせて新しい実施例を構成することができる。
【００１７】
本考案の光学式マウス用のＩＣ一体化構造１は、図１−２に示されるように、ＰＣＢ基板に接続するためのブラケット２と、発光用のＬＥＤウエハ３と、主制御ＩＣウエハ４と、光学レンズ５と、を備え、ＬＥＤウエハ３及び主制御ＩＣウエハ４は、それぞれブラケット２の上面の両端に取り付けられ、ＬＥＤウエハ３及び主制御ＩＣウエハ４は、ブラケット２を介してＰＣＢ基板に接続され、光学レンズ５は、ＬＥＤウエハ３及び主制御ＩＣウエハ４の上方に取り付けられ、光学レンズ５と主制御ＩＣウエハ４との間には、外部光源を遮るための遮光カバー６が設けられ、遮光カバー６には、光が透過するための貫通孔６１が設けられる。ここで、貫通孔６１は、円形レンズ５２の円中心に対応して開けられる。外部光源を遮るとともにＬＥＤウエハ３から発光する光源の受光に影響を与えることないことを実現でき、主制御ＩＣウエハ４の感光効果をより良好にする。
【００１８】
本技術案では、ＬＥＤウエハ３、主制御ＩＣウエハ４及び光学レンズ５の三者を１つの構造に集積させ、かつＬＥＤウエハ３だけを発光素子とすることにより、他の部材を省略し、発光源の構造を小さくし、製品の占める空間を従来よりも小さくし、従来の取付構造に比べてＰＣＢ基板が４０％の材料を節約し、マウス全体の着脱を行うする時にもより簡便になり、着脱効率を高めるとともに、三者を一体として着脱することにより、部品の不整合によるマウス全体の安定性に影響を与える問題を解消する。
【００１９】
従来のマウスでは、上記の三者の素子は、通常、個別の部品としてマウスにそれぞれ組み立てられるため、それぞれの部品についてそれぞれに対応するサプライヤがあり、生産するたびに、顧客のニーズに応じて互いに整合する部品をカスタマイズする必要があり、ただし、顧客が使用中にトラブルが発生した場合、互換性のある部品と交換することは困難であり、このとき、交換後にマウスが不安定になるという問題が発生する。一方、本技術案では、三者を１つの構造に集積させて、一体として着脱することにより、故障したときにどの部品に故障があるかを確認する必要はなく、また、各部品の不整合によるマウスが不安定になる問題も解消する。
【００２０】
ここで、光学レンズ５は、プリズム５１及び円形レンズ５２を備え、樹脂またはプラスチック材料で製造され、ＬＥＤウエハ３は、プリズム５１の下方に取り付けられ、光源センサは、円形レンズ５２の下方に取り付けられ、使用中に、ＬＥＤウエハ３から発光する光源は、プリズム５１によりマウスの底部の机の表面に屈折され、さらに机の表面により反射されて円形レンズ５２で主制御ＩＣウエハ４に集中して伝達され、上記の設置によれば、光源の伝達を満足できるとともに、円形レンズ５２を設置することにより、光源を集光し、主制御ＩＣウエハ４の検出効果を向上させる。光学レンズ５は、スナップフィット接続方式を用いてブラケット２に固定され、ブラケット２からの光学レンズ５の落下を防止でき、構造全体の安定性をより高める。
【００２１】
本実施例においてＬＥＤウエハ３の取付箇所に対応するブラケット２には、円錐台状凹溝２２が設けられ、主制御ＩＣウエハ４の取付箇所に対応するブラケット２には、円形溝２３が設けられる。上記の構造によれば、ＬＥＤウエハ３及び主制御ＩＣウエハ４を保護するとともに、ＬＥＤウエハ３及び主制御ＩＣウエハ４が簡単に脱落することを防止できる。ここで、ブラケット２の両側には、ＰＣＢ基板に接続するための複数のピンが設けられる。それにより、ブラケット２をより安定的にＰＣＢ基板に接続し、ブラケット２のＬＥＤウエハ３及び主制御ＩＣウエハ４は、ＰＣＢ基板に接続することもできる。本構造のピンの数は、異なるピン位置のマウス（例えば、１ピン、６ピン、８ピン、１０ピン、１２ピン、１４ピン、１６ピン、１８ピンなど実用されるすべてのピン数）に適用できるように、ＰＣＢ基板に応じて変わることができる。
【００２２】
上記の実施形態は、本考案の好ましい実施形態に過ぎず、それにより本考案の実用新案登録請求の範囲を限定することができず、当業者が本考案に基づいて行ういずれの非実質的な変化及び置換も、本考案の保護範囲に属する。
【符号の説明】
【００２３】
１  光学式マウス用のＩＣ一体化構造、
２  ブラケット、
２２  円錐台状凹溝、
２３  円形溝、
３  ＬＥＤウエハ、
４  主制御ＩＣウエハ、
５  光学レンズ、
５１  プリズム、
５２  円形レンズ、
６  遮光カバー、
６１  貫通孔。
【図１】
0003226586.tif 000003
【図２】
0003226586.tif 000004